(57)【特許請求の範囲】
【請求項１】
ケーブル類の両側に離間配置される一対のリンクプレートと該リンクプレートの屈曲外周側と屈曲内周側とにそれぞれ横架される連結板と前記リンクプレートに対面して少なくとも屈曲内周側の連結板に支持される仕切板とで構成されたリンク体が、ケーブル類を内挿した状態で長手方向に屈曲自在の連結してなるケーブル類保護案内装置において、
前記連結板が、その前端面および後端面のケーブル非接触位置に形成された連結板係合部を備え、
前記仕切板が、少なくとも屈曲内周側に形成するとともに前記連結板係合部に係合されたときに連結板係合部を挟持する前後一対の仕切板係合部を備え、
前記連結板係合部が、前記連結板の幅方向に沿って互いに間隔をおいて複数設けられていることを特徴とするケーブル類保護案内装置。
【請求項２】
前記連結板係合部および前記仕切板係合部が、幅狭い辺を上底辺とし、幅広い辺を下底辺とする台形状に形成されていることを特徴とする請求項１記載のケーブル類保護案内装置。
【発明の詳細な説明】
【０００１】
【発明の属する技術分野】
この発明は、ケーブル類保護案内装置にかかわり、さらに詳しくは、産業用機械の可動部と静止部とを接続するケーブルやホースなどのケーブル類を案内しかつ保護する装置に関している。
【０００２】
【従来の技術】
従来のこの種のケーブル類保護案内装置として、離間対向する一対のリンクプレートを有し、内部空間が矩形状に形成されたリンク体同士を屈曲可能に複数連結し、ケーブル類を内挿するようにしたものが知られている（例えば特許文献１を参照）。
【０００３】
このケーブル保護案内装置において、仕切板がリンクプレート間の任意の位置に立設され、内部空間を左右に仕切っていると共に、棚板が左右に仕切られた内部空間を上下に仕切っている。
【０００４】
仕切板および棚板の装着位置は変更可能になっている。このために、上下一対の連結板は対向面に屈曲方向と直交する方向に延びる取付溝と、取付溝と平行配置された保持溝とを備えている。仕切板は上下端に突起とフックとを備えている。連結板に対する仕切板の装着は、突起を取付溝に、フックを保持溝に嵌めるとと共に、フックを弾性変形させて、取付溝と保持溝との間にある壁を突起と一緒に挟持させることによってなされている。装着位置の変更は取付溝を構成する角溝を選択することでなされている。さらに、棚板は、伸縮自在に嵌め合わされた一対の本体プレートと引き出しプレートとからなっており、本体プレートの端部に係合端部を、引き出しプレートの端部に嵌め込み凹部に嵌る嵌め込み突部をそれぞれ形成されている。仕切板およびリンクプレートには、嵌め込み端部と嵌め込み突部とが嵌る係合部および嵌め込み穴があり、これらの係合部および嵌め込み穴は仕切板の上下方向に複数設けられている。棚板は、これを伸縮させ、係合部および嵌め込み穴を選択することで、リンク体のサイズにかかわらず、装着することができるようになっている。
【０００５】
【特許文献１】
特開２０００−１２０８０７号公報
【０００６】
【発明が解決しようとする課題】
ところで、従来のケーブル類保護案内装置は、リンクプレートを多数連結して形成したケーブル内挿空間に、ケーブル類を固定することなく内包した状態で保護しており、ケーブル内挿空間の真っ直ぐな領域から曲がった領域へ移行する部分や曲がった領域から真っ直ぐな領域へ移行する部分などにおけるリンクプレート相互の多角形運動やケーブル内挿空間における内周側と外周側との円弧の差などに起因して、ケーブル類の移動時にケーブル類との間に相対的なずれ、擦れ、ひきつれなどを誘発させる。特に、前述した従来のケーブル保護案内装置では、連結板の取付溝および保持溝は一対のリンクプレートとの間に一杯に延び、しかも取付溝は仕切板の位置変更のために複数の角溝をつないだ構成となっているため、ケーブル類がこれらの取付溝および保持溝のエッジによって擦れ、擦過損傷するおそれがある。この擦れは、ケーブル類保護案内装置を高速高頻度稼働させると激しくなり、ケーブル類を短期間で損傷させると共に、摩耗粉を発生させて、使用あるいは設置環境のクリーン度を悪化させるという問題があった。
【０００７】
本発明の目的は、従来技術の問題を解決するものであって、すなわち、連結板内面および仕切板側面によるケーブル類の擦過損傷や摩耗粉の発生を防止することができ、しかも、仕切板とリンクプレートとの間隔あるいは仕切板同士の間隔をケーブル類のサイズに対応させて変えることができるケーブル類保護案内装置を得ることにある。
【０００８】
【課題を解決するための手段】
上記の目的を達成するために、請求項１に係る本発明は、ケーブル類の両側に離間配置される一対のリンクプレートとリンクプレートの屈曲外周側と屈曲内周側とにそれぞれ横架される連結板と前記リンクプレートに対面して少なくとも屈曲内周側の連結板に支持される仕切板とで構成されたリンク体が、ケーブル類を内挿した状態で長手方向に屈曲自在の連結してなるケーブル類保護案内装置において、連結板がその前端面および後端面のケーブル非接触位置に形成された連結板係合部を備え、前記仕切板が少なくとも屈曲内周側に形成するとともに連結板係合部に係合されたときに連結板係合部を挟持する前後一対の仕切板係合部をそれぞれ備えていることを特徴としている。
【０００９】
さらに、請求項１に係る本発明は、前記連結板係合部が連結板の幅方向に沿って互いに間隔をおいて複数設けられていることを特徴としている。
【００１０】
請求項２は、請求項１記載のケーブル類保護案内装置において、連結板係合部および仕切板係合部が、幅狭い辺を上底辺とし、幅広い辺を下底辺とする台形状に形成されていることを特徴としている。
【００１１】
【作用】
請求項１のケーブル類保護案内装置は、連結板がその前端面および後端面のケーブル非接触位置に形成された連結板係合部を備え、前記仕切板が少なくとも屈曲内周側に形成するとともに連結板係合部に係合されたときに連結板係合部を挟持する前後一対の仕切板係合部を備えているため、連結板内面に仕切板との結合構造がなくなり、連結板の内面がフラットに形成されるため、このケーブル類保護案内装置が屈曲状態や直線状態になっても、ケーブル類が連結板内面によって擦過損傷せず、摩耗粉の発生もない。
【００１２】
そして、請求項１のケーブル類保護案内装置は、連結板係合部が連結板の幅方向に沿って互いに間隔をおいて複数設けられているため、連結板係合部を選択することによって、ケーブル類の収納空間、つまり、ケーブル類のサイズに応じて、仕切板とリンクプレートとの間隔あるいは仕切板同士の間隔の変更をおこなえる。
【００１３】
請求項２のケーブル類保護案内装置は、請求項１記載のケーブル類保護案内装置が奏する作用に加えて、連結板係合部および仕切板係合部が、幅狭い辺を上底辺とし、幅広い辺を下底辺とする台形状に形成されているため、仕切板が強固に連結板に係合され、連結板から抜けない。
【００１４】
【発明の実施の形態】
以下に、図面を参照して、本発明のケーブル類保護案内装置の実施例を説明する。
【００１５】
このケーブル類保護案内装置は、図１に示すように、複数のリンク体１１からなっている。これらのリンク体１１は、列状に並べられ、隣り合うリンク体１１と屈曲可能に連結されている。ケーブル類１２はこれらのリンク体１１に内挿されている。
【００１６】
各々のリンク体１１は、リンクプレート１３と連結板１４，１５とを有している。リンクプレート１３は互いにスペースを形成して平行に配置されている。連結板１４（以降、区別するために内周側連結板と称する）はリンクプレート１３の内周側を架橋するようにリンクプレート１３の間に配置されている。内周側連結板１４およびリンクプレート１３は、プラスチックからなっており、一体成形されている。また、連結板１５（以降、外周側連結板と称する）も、同じプラスチック成型物からなっており、リンクプレート１３の外周側を架橋するように、リンクプレート１３の間に配置されている。しかし、この外周側連結板１５は、リンクプレート１３に開閉可能に取り付けられている。
【００１７】
リンクプレート１３は、図２に示すように、側面から見た形状が繭状をなしている。リンクプレート１３の前部にはピン孔１６が設けてある。リンクプレート１３の後部にはピン孔１６に対応する直径をもつピン１７が一体に形成されている。リンクプレート１３の前部内面には図１および図４に示すように段壁２１が設けられている。この前部内面側段壁２１の後縁はピン孔１６と中心軸を共有する幅狭い円筒面２１Ａとなっている。さらにリンクプレート１３の後部外面には段壁２２が設けられている。この後部外面側段壁２２の前縁はピン１７と中心軸を共有する幅狭い円筒面２２Ａとなっている。前部内面側段壁２１の内面間隔は後部外面側段壁２２の外面間幅よりも僅かに広い。
【００１８】
各々のリンク体１１は、図１に示すように、前部内面側段壁２１を前方にある隣り合うリンク体１１の後部外面側段壁２２に、ピン孔１６を前方にある隣り合うリンク体１１のピン１７に、そして、後部外面側段壁２２を隣り合うリンク体１１の前部内面側段壁２１に、ピン１７を隣り合うリンク体１１のピン孔１６にそれぞれ嵌めることによって連結されている。このため、各々のリンク体１１は隣り合うリンク体１１に対してピン１７を中心に屈曲することができる。
【００１９】
各々のリンク体１１には、屈曲角を制限するための機構が組み込まれている。この屈曲角制限機構は特許第３１２２４９１号明細書に記載されているものと同様な構成を有している。リンク体１１が直線状態にあると、図２に示すリンク体１１の前部内面側段壁２１にある矢状突起２３が隣り合うリンク体１１の後部外面側段壁２２にある扇形凹み２４の上端側に、後部外面側段壁２２の後端にあるフラットな規制面２５が前方にある隣り合うリンク体１１の後部外面側段壁２２にある鉤状突起２６に接触し、リンク体１１が屈曲状態にあると、前部内面側段壁２１にある矢状突起２３が隣り合うリンク体１１の後部外面側段壁２２にある扇形凹み２４の下端側に接触する。
【００２０】
このケーブル類保護案内装置において、各々のリンク体１１には、図１、図３および図４に示すように、リンク体１１の内部空間を複数に区画する仕切板３１が組み込まれている。仕切板３１は上下端を内周側連結板１４および外周側連結板１５に着脱可能に保持されている。
【００２１】
内周側連結板１４は、内面１４Ａが凹凸のないフラットなもので、前後縁に連結板係合部３２を備えている。連結板係合部３２は、図３および図４に示すように、一定間隔ごとに内周側連結板１４の幅方向に複数設けられている。この連結板係合部は、凹みの形態をなすもので、図５に示すように、リンク体１１の前方から見たときに台形をなし、幅狭い辺が上底辺を、幅広い辺が下底辺を構成している。内周側連結板１４の後縁にも同じ構成の連結板係合部（図示せず）が前記連結板係合部と一直線上に位置して設けられている。仕切板３１は、両側面が凹凸のないフラットなもので、下縁に内周側連結板１４の内面１４Ａに嵌る溝３３を有している。仕切板係合部３４が溝３３によって仕切板３１の下縁前後に形成された突起の形態をなしている。前後の仕切板係合部３４の距離は内周側連結板１４の前後縁にある連結板係合部３２の距離よりも僅かに短い。
【００２２】
また、外周側連結板１５は、内面１５Ａに凹凸のないフラットなもので、前後縁に連結板係合部３７を設けられている。これらの連結板係合部３７も、一定間隔を置いて外周側連結板１５の幅方向に複数設けられている。係合部自体は、台形凹みの形態をなしているが、内周側連結板１４の連結板係合部３２とは逆に、幅狭い辺が下底辺を、幅広い辺が上底辺を構成している。内周側連結板１４の後縁にも、同じ構成を有する連結板係合部が、連結板係合部３７と一直線上に位置して設けられている。仕切板３１は、上縁に、外周側連結板１５の内面１５Ａに嵌る溝３５を設けられている。一対の仕切板係合部３６がこの溝３５によって仕切板上縁前後に形成されている。前後の仕切板係合部３６の距離は、外周側連結板１５の前後縁にある連結板係合部３７の距離よりも僅かに短い。
【００２３】
リンク体１１に対する仕切板３１の組み付けは、下縁にある湾曲溝３３を内周側連結板１４の内面１４Ａに接触させて、下縁前後の仕切板係合部３４を内周側連結板１４の前後にある連結板係合部３２にはめ込むと共に、上縁にある湾曲溝３５を外周側連結板１５の内面１５Ａに接触させて、上縁前後の仕切板係合部３６を外周側連結板１５の前後にある連結板係合部３７に嵌め込むことでなされる。組み付けがなされると、仕切板３１は、連結板１４，１５の間に位置決めされ、リンク体１１の内部空間を複数に区画している。仕切板係合部３４の距離は前述のように内周側連結板１４の前後にある連結板係合部３２の距離よりも僅かに短く、仕切板係合部３６の距離も連結板係合部３７の距離よりも僅かに短いため、仕切板３１あるいは連結板１４，１５もしくはこれらの双方が弾性変形して、下部にある仕切板係合部３４が連結板係合部３２に、上部にある仕切板係合部３６が連結板係合部３７にそれぞれ嵌り込む、つまり、仕切板３１が連結板１４，１５をしっかり挟持して、連結板１４，１５に確実に固定される。このときに、連結板係合部３７を選択することで、ケーブル類１２の直径に応じて、リンクプレート２１と仕切板３１との間隔あるいは仕切板３１の間隔を自由に調整することができる。
【００２４】
本発明によるケーブル類保護案内装置は、たとえば、工作機械の可動部と静止部との間を接続する電源ケーブルや切削液供給パイプなどのケーブル類を内挿され、このケーブル類を保護すると共に、可動部の運動にしたがってケーブル類を伸縮させるために使用される。
【００２５】
ケーブル類１２の組み込みは、たとえば、すべてのリンク体１１の外周側連結板１５を開け、ケーブル類１２を各々のリンク体１１に仕切板３１によって区画された内部空間の各々に入れ、外周側連結板１５を閉じることでなされる。工作機械に対する取り付けは、図１に示す移動端金具１８と固定端金具１９とを両端にあるリンク体１１にピン連結し、移動端金具１８を工作機械の可動部に、固定端金具１９を静止部に固定すると共に、移動端金具１８あるいは固定端金具１９を介してアースに接続することでなされる。
【００２６】
工作機械の可動部が移動すると、リンク体１１は相互に屈曲状態となったり、直線状態となったりする。ケーブル類１２も、リンク体内部において、リンクプレート１３、内周側連結板１４および外周側連結板の内面１５Ａ、仕切板３１および横仕切板５１の側面に接触しながら屈曲したり、直線状態になったりする。このとき、仕切板３１はこれの前後縁にある仕切板係合部３４と連結板１４，１５の前後縁にある連結板係合部３２とによって結合され、仕切板３１と連結板１４，１５とを結合するための機構が連結板１４，１５の内面１４Ａ，１５Ａおよび仕切板３１の側面のいずれにも存在していないため、ケーブル類１２はこれら面と擦れても、擦過損傷を受けず、摩耗粉も発生させない。
【００２７】
さらに、図６に示すように、仕切板３１は、仕切板係合部３４を内周側連結板１４の前後縁にほぼ垂直に位置する連結板係合部３２に係合することよって位置決めされており、ケーブル類１２が垂直状態にならない限り、仕切板係合部３４および連結板係合部３２との連結部分に接触しない。そして、外周側連結板１５の連結板係合部３７もこれの前後縁にほぼ垂直に配置されているため、同様に、ケーブル類１２が仕切板係合部３６および連結板係合部３７との連結部分に接触しない。このため、ケーブル類１２は、常に、フラットな連結板１４，１５の内面１４Ａ，１５Ａおよび仕切板３１の側面のみに接触することになって、ケーブル類１２は擦過損傷せず、それによる摩耗粉の発生もない。
【００２８】
さらに、仕切板３１の仕切板係合部３４および内周側連結板１４の連結板係合部３２は、幅狭い辺を上底辺とし、幅広い辺を下底辺とする台形状に形成され、また、仕切板３１の仕切板係合部３６と外周側連結板１５の連結板係合部３７とは、幅狭い辺が下底辺とし、幅広い辺が上底辺とする台形状に形成され、抜けにくいため、このケーブル類保護案内装置が高速高頻度稼働しても、仕切板３１が連結板１４，１５から離脱しない。
【００２９】
このケーブル類保護案内装置において、ケーブル類１２を上下に多段に配置するときに、図１および図４に示すように、仕切板３１を貫通して横仕切板５１が組み込まれる。このために、仕切板３１には横仕切板挿入孔５２が設けられている。横仕切板挿入孔５２は長楕円の形態をなしている。横仕切板５１は、横仕切板挿入孔５２の形状に対応する長楕円断面をもつ中空あるいはソリッドな形態のもので、金属やプラスチックなどからなっている。仕切板３１に対する装着は横仕切板５１を横仕切板挿入孔５２に圧入することによってなされる。装着すると、横仕切板５１は、各々のリンクプレート１３と仕切板３１とによって区画されたケーブル類収容空間の各々を、さらに二つに区画する。
【００３０】
このような横仕切板支持構造は、横仕切板５１を仕切板３１にある横仕切板挿入孔５２に圧入することで位置決めされるため、横仕切板５１の表面もフラットに形成することができる。このため、リンク体１１が屈曲状態あるいは直線状態になったときに、ケーブル類１２が仕切板３１および横仕切板５１に接触しつつ摺動しても、擦過損傷をケーブル類１２に発生させず、摩耗粉の発生もない。
【００３１】
なお、以上説明した実施例において、内周側連結板１４と外周側連結板１５とに連結板係合部３２を設け、仕切板３１の上下にある仕切板係合部３４が各々の連結板係合部３２に嵌めて、強固に仕切板３１の位置決めを行っているが、使用あるいは設置環境や設置条件に応じて、連結板１４，１５および仕切板３１の片方のみに連結板係合部と仕切板係合部とを設けてもよい。
【００３２】
さらに、連結板係合部３２は連結板１４，１５の幅方向に複数個設けてあるが、一つのみ設けてもよい。また、以上説明した実施例とは逆に、連結板１４，１５の連結板係合部３２を突起として形成すると共に、仕切板３１の仕切板係合部３４を凹みとして形成してもよい。
【００３３】
【発明の効果】
以上述べたように、請求項１のケーブル類保護案内装置は、連結板がその前端面および後端面のケーブル非接触位置に形成された連結板係合部を備え、前記仕切板が少なくとも屈曲内周側に形成するとともに連結板係合部に係合されたときに連結板係合部を挟持する、前後一対の仕切板係合部を備えることにより、連結板内面および仕切板側面をフラットに形成することができ、ケーブル類が擦過損傷を受けず、摩耗粉も発生しないため、高速高頻度稼働させても、高い耐久性および信頼性をもつものとすることができ、クリーンな環境においても使用することができる。
【００３４】
そして、請求項１のケーブル類保護案内装置は、連結板係合部が連結板の幅方向に沿って互いに間隔をおいて複数設けられているため、連結板係合部を選択することで、ケーブル類の収納空間、つまり、仕切板とリンクプレートとの間隔あるいは仕切板同士の間隔をケーブル類のサイズに対応させて変えることができる。
【００３５】
請求項２のケーブル類保護案内装置は、請求項１記載のケーブル類保護案内装置が奏する効果に加えて、連結板係合部および仕切板係合部が、幅狭い辺を上底辺とし、幅広い辺を下底辺とする台形状に形成されていることにより、仕切板が強固に連結板に係合され、仕切板から抜けないため、さらに耐久性および信頼性の高いものとすることができる。
【図面の簡単な説明】
【図１】本発明のケーブル類保護案内装置の一実施例を示す分解斜視図。
【図２】リンク体の側面図。
【図３】図２の３−３線に沿うリンク体の端面図。
【図４】リンク体から仕切板を分離した状態の斜視図。
【図５】仕切板と連結板との結合部分の拡大端面図。
【図６】図５の６−６線に沿う拡大断面図。
【符号の説明】
１１      ・・・リンク体
１２      ・・・ケーブル類
１３      ・・・リンクプレート
１４      ・・・内周側連結板
１５      ・・・外周側連結板
１６      ・・・ピン孔
１７      ・・・ピン
１８      ・・・移動端金具
１９      ・・・固定端金具
３１      ・・・仕切板
３２，３７・・・連結板係合部
３４，３６・・・仕切板係合部
５１      ・・・横仕切板
５２      ・・・横仕切板挿入孔
【図１】
0003717168.tif 000002
【図２】
0003717168.tif 000003
【図３】
0003717168.tif 000004
【図４】
0003717168.tif 000005
【図５】
0003717168.tif 000006
【図６】
0003717168.tif 000007